(57)【要約】  【課題】  各測定機器の特性に応じた最適な場所で測定を行えるため、測定データの信頼性や、使用者の利便性を向上させることができる健康データ収集装置を提供する。【解決手段】  生体情報測定機器２３からのデータを受け付け、記録し、ネットワーク９で通信する第一のネットワーク通信部７とを備えた被検体測定手段１３と、使用者が操作を行うための操作を行う操作部１と、第一のネットワーク通信部７からネットワーク９を経由して操作側ユニット１４の第二のネットワーク通信部８に送信され、さらに測定データは制御部１２に伝達され、一時的に蓄積され使用者の指示により表示したりサーバー１０に対してデータを送信したりする。【選択図】  図１
2007111414.tif 000002
【特許請求の範囲】
【請求項１】
生体情報測定手段からのデータを受け付ける入力部と前記データを記録する記録部と前記データを前記記録部から読み出しネットワークを介して通信する第一のネットワーク通信部とを備えた少なくとも１つの被検体測定手段と、ネットワーク上に備えられたサーバーと、使用者からの操作を受け付ける操作部と前記操作部からの操作信号を受け付けて機器の制御を行う制御部と前記制御部からの制御信号を受け付けて機器の状態を表示する表示部とを有し前記第一の通信部または前記サーバーとの少なくともいずれか一方と通信を行う第二のネットワーク通信部とを備えた操作側手段と、を備えたことを特徴とする健康データ収集装置。
【請求項２】
前記被検体測定手段の電源を電池とし、第一のネットワーク通信部はネットワーク回線から電気的に絶縁された構成とした請求項１記載の健康データ収集装置。
【請求項３】
前記被検体測定手段に時計手段を備え、前記記録部に前記データを記録した日時を同時に記録する請求項1または２記載の健康データ収集装置。
【請求項４】
前記被検体測定手段に生体情報測定手段からデータを入力したことを報知する報知手段を備えた請求項1ないし請求項３のいずれかに記載の健康データ収集装置。
【請求項５】
前記第一のネットワーク通信部は、ネットワークからのデータ送信要求があったときにデータを送信する構成とした請求項1ないし請求項４のいずれかに記載の健康データ収集装置。
【発明の詳細な説明】
【技術分野】
【０００１】
本発明は在宅などにおいて患者等の健康管理対象者の健康情報を収集し、これらの健康情報を医師等の健康管理提供者が遠隔的に収集しその健康状態の把握するために利用する健康データ収集装置に関するものである。
【背景技術】
【０００２】
従来の健康データ収集装置は、図7に示すように健康データ収集装置本体の操作を行う操作部１と、画面に測定結果や操作案内などを表示する表示部６と、体温計２や血圧計３、血糖計４から得られた健康データが有線や赤外線などにより入力される入力部５と、データを記録したり機器本体を制御するための制御部１６と、ネットワークに接続された通信先と通信するための通信部１５を備えている。従来の健康データ収集装置の斜視図を図８に示す。図７における表示部６は液晶表示器１７を採用している。図７における操作部1はテンキー１８、キャンセルキー１９、上下キー２０ならびにＯＫキー２１によって構成されている。入力部５の生体情報測定機器接続端子２２は本体左側面に備えられており、各生体情報測定機器を接続できるようになっている。
【０００３】
図９に従来の健康データ収集装置の使用状態例の図を示す。通常、リビングルームなどのテーブル２５の上に健康データ収集装置２４を載置し、生体情報測定機器接続端子２２に血圧計３、体温計２、血糖計４および体重計２６などを接続して使用する。従来の健康データ収集装置は以下のように動作する。生体情報測定機器接続端子２３に接続された体温計２、血圧計３などの生体情報測定機器より入力部５に入力されたデータは、制御部１６に記録され、さらに使用者が表示部６をみながら操作部１により指示を与えることにより通信部１５によりネットワーク９を通じて外部のサーバー１０と通信するように動作する。このようにして、患者により入力された体温計２や血圧計３などの生体情報測定機器のデータは通信部１５によって、外部のネットワーク９を通じて医療機関などに設置されたサーバー１０に伝えられ、医師等がサーバー１０に蓄えられたデータにアクセスすることにより遠隔的に被検体の生体情報（患者の健康情報）を知ることができる。このように従来の健康データ収集装置は医師と患者に物理的距離がある場合でも患者の健康データを医師が把握でき、医師と患者が相互に行き来することが充分できない場合でも充実した健康ケアができる。（例えば特許文献１参照）。
【特許文献１】特開２００４−２６７５１０号公報（第８頁、第８図）
【発明の開示】
【発明が解決しようとする課題】
【０００４】
しかしながら、従来の健康データ収集装置においては、健康データ収集装置本体に入力部５、制御部１１、操作部1、表示部６、通信部１５のすべての要素が集約されているため次のような課題があった。
【０００５】
通常、従来の健康データ収集装置は図９のような使用状態の据え置きを想定して作られており持ち運びが考慮されていない。また、使用者は比較的高齢者の比率が高いため、液晶表示器１７や操作部１のテンキー１８、上下キー２０などの各キーはできるだけ大きくするニーズがあり、どうしても健康データ収集装置自体がある一定の大きさが必要となる。  
【０００６】
したがって、健康データ収集装置自体はたとえばリビングルームの一角に設けられたテーブルの上に据え置かれた状態となることが多いが、血圧などの測定を行う時には血圧計
３などを健康データ収集装置の健康計測機器接続端子２２に接続する必要があるために、据え置かれた健康データ収集装置近傍で行う必要があるという問題があった。また、血圧、血糖などは比較的据え置かれたリビングルームなどの環境において測定できるものであり、まだ影響は少ないが体重計などは着衣による誤差をできるだけ減らすためには脱衣状態のほうがよく、従来の健康データ収集装置を使用する場合においてはリビングルームで脱衣するか、着衣による誤差を含んだデータを使用する必要性が出てくる。もしくは、健康データ収集装置そのものを風呂場の脱衣場に持ちこむことも考えられるが、血圧などはリラックスした条件で測定したほうがよく、風呂場の脱衣場は血圧の測定に適さない。また、近年、尿糖など、トイレで得られる健康データも増加してきているが、トイレに健康データ収集装置を持ち込むことは現実的ではなく、そのために健康データ収集装置を何台も用意するのは場所的にも、コスト的にも合理的ではない。
【０００７】
本発明は、従来の問題を解決するためになされたもので、それぞれの生体情報測定機器の特性に応じてより適当な場所で測定をすることができコスト的にも負荷の少ない健康データ収集装置を提供することを目的とする。
【課題を解決するための手段】
【０００８】
本発明の健康データ収集装置は、生体情報測定手段からのデータを受け付ける入力部と前記データを記録する記録部と前記データを前記記録部から読み出しネットワークを介して通信する第一のネットワーク通信部とを備えた少なくとも１つの被検体測定手段と、ネットワーク上に備えられたサーバーと、使用者からの操作を受け付ける操作部と前記操作部からの操作信号を受け付けて機器の制御を行う制御部と前記制御部からの制御信号を受け付けて機器の状態を表示する表示部とを有し前記第一の通信部または前記サーバーとの少なくともいずれか一方と通信を行う第二のネットワーク通信部とを備えた操作側手段とで構成している。
この構成により、被検体測定手段で生体情報測定機器からのデータを入力部で入力したのち記録部に蓄えておき、使用者が操作側手段で表示部をみながら操作部を操作し、第二のネットワーク通信部と第一のネットワーク通信部がネットワークを経由して通信することにより記録部から前記データを読み出して（取り出して）ネットワークを経由して第二のネットワーク通信部で受信し、それをさらに第二のネットワーク通信部を経由してネットワーク上のサーバーに転送することができ、医師等の健康管理者がサーバー上に蓄積された健康測定データを参照することで、使用者と健康管理者が物理的に離れている場所にいながらにして遠隔的に健康管理を行うことができる。
【０００９】
また、本発明の健康データ収集装置は、前記被検体測定手段の電源を電池とし、第一のネットワーク通信部はネットワーク回線から電気的に絶縁された構成を有している。
【００１０】
この構成により、電池を電源とし、第一のネットワーク部が回線から絶縁されているため、電源を商用電源から絶縁するための構造が必要なくなり、機器をシンプルにできる。
【００１１】
さらに、本発明の健康データ収集装置は、前記被検体測定手段に時計手段を備え、前記記録部に前記データを記録した日時を同時に記録する構成を有している。
【００１２】
この構成により、生体情報測定機器に時計を有していない場合においても時計手段により測定日時情報を追加してデータを記録することができ、正確な健康情報を得ることができる。
【００１３】
さらに、本発明の健康データ収集装置は、前記被検体測定手段に生体情報測定手段からデータを入力したことを報知する報知手段を有している。
【００１４】
この構成により、データ入力部がデータを入力したときのそれを報知することができるので、使用者はデータを入力されたことを確認することができ、データ伝送の確実性が増すこととなる。
【００１５】
さらに、本発明の健康データ収集装置は、前記第一のネットワーク通信部は、ネットワークからのデータ送信要求があったときにデータを送信する構成を有している。
【００１６】
この構成により、操作側ユニットの要求によりデータ通信が可能となるので、操作側ユニットの状態がどのような状態であっても測定が行えることとなる。
【発明の効果】
【００１７】
本発明は、測定機器近傍には測定機器側ユニットとして、健康データ収集装置の大部分体積を占める操作部や表示部を除いた小型の部分を設け、それを第一のネットワーク通信部と第二のネットワーク手段の２つのネットワーク通信手段を用いてネットワークにより通信を行えるようにしているので、健康データ収集装置本体の操作部、表示部を不必要に小型化することにより操作性、視認性を犠牲にすることなく、たとえば操作側ユニットをリビングルームなどに設置しておきながら、脱衣場で体重測定を行ったり、トイレの健康データを収集したりという、各健康計測機器に最適な場所で測定をすることができるという効果を有する健康データ収集装置を提供することができるものである。
【発明を実施するための最良の形態】
【００１８】
以下、本発明の実施の形態の健康データ収集装置について、図面を用いて説明する。
【００１９】
本発明の第１の実施の形態の健康データ収集装置のブロック図を図１に示す。
【００２０】
図１において、健康データ収集装置は、生体情報測定機器２３からのデータを受け付ける入力部５と、入力部５で入力したデータを記録する記録部１１と、データを記録部１１から取り出してネットワーク９で通信する第一のネットワーク通信部７とを備えた被検体測定手段１３と、使用者が操作を行うための操作を行う操作部１と、使用者が健康データ収集装置の状態を確認するための表示部６と、機器全体の制御を行ったり、データを記録したりする制御部１２と、ネットワーク９で通信を行う第二のネットワーク通信部８とを備えた操作側ユニット１４で構成している。図２に本発明の健康データ収集装置の被検体測定手段１３の斜視図を示す。被検体測定手段１３には生体情報測定機器に接続するためのコード２７の先端に生体情報測定機器接続プラグ２９が備えられており、このプラグ２９を血圧計３などの生体情報測定機器に接続することによりブロック図における入力部５に健康計測機器からのデータが入力されるようになる。さらに、被検体測定手段１３には、ブロック図における第一のネットワーク通信部７の接続端子として、ＲＪ−４５規格のＬＡＮ端子２８が備えられている。以上のように構成された健康データ収集装置について動作を説明する。
【００２１】
使用者は被検体測定手段１３の生体情報測定機器接続プラグ２９に血圧計３などの生体情報測定機器を接続する。さらに、ＬＡＮ端子２８には家庭内に設置されたＬＡＮに接続し、測定準備をする。この状態で使用者が血圧計３などの生体情報測定機器２３により測定を行うと、測定データが入力部５を通じて記録部１１に記録される。記録部１１に記録された測定データは第一のネットワーク通信部７からネットワーク９を経由して操作側ユニット１４の第二のネットワーク通信部８に送信される。
第二のネットワーク通信部８からのデータは制御部１２に伝達され、一時的に蓄積される。使用者が操作部１により測定データの表示を指示すれば、制御部１２がその指示にしたがって表示部６に測定データを表示する。さらに、使用者が操作部１により、測定データの送信を指示すれば、制御部１２がその指示にしたがって第二のネットワーク通信部８を
通じてネットワーク９経由でサーバー１０に対してデータを送信する。医師等の健康管理者は、サーバーに蓄積された使用者の健康測定データを参照して使用者の健康管理を行う。
【００２２】
図３に本発明の被検体測定手段１３の使用状態例の図を示す。この例は血圧計３の例であるが、ベッド３０の横に設置されたベッドサイドテーブル３１の上に血圧計３がおかれている。血圧計３には被検体測定手段１３が接続されている。生被検体測定手段１３はさらに壁面に設置されたＬＡＮ端子３２とケーブルで接続されている。血圧測定は、比較的リラックスした平常状態で測定するのがよく、このようにベッド３０の近傍など落ち着く場所で測定できることは、測定データを安定させる上で非常に重要である。
本実施の形態によれば、このように小さなベッドサイドテーブル３１の上でも血圧計３を置くスペースがあれば十分であり、従来の健康データ収集装置のように表示部や操作部が一体になったサイズのものが置けないスペースでも十分設置可能であり測定を行うことができる。
【００２３】
ベッドサイドに健康データ収集装置が設置できるスペースがありベッドサイドに健康データ収集装置を設置した場合でも、従来の健康データ収集装置では、その場で体重や血糖などの血圧以外の測定もベッドサイドで行うことが必要となり、最良の場所で測定できるとはいえない。
【００２４】
しかし、本発明の健康データ収集装置であればたとえば脱衣場などに備えられた体重計の近傍に上記した被検体測定手段１３を移動し設置してもあるいは別の被検体測定手段１３を設けても良く、このようにすることで、最適な場所での測定を行うことができる。
【００２５】
このような本発明の第１の実施の形態の健康データ収集装置によれば、生体情報測定機器２３近傍に設置して使用する被検体測定手段１３と、使用者や操作を行うための操作部１や表示部６を備えた操作側ユニット１４を第一のネットワーク通信部と第二のネットワーク通信部を設けることにより、それぞれ離れた部分に設置することができ、被検体測定手段１３は操作部１や表示部６を持たずに小型に構成したので、操作側ユニット１４の設置場所にかかわらず、生体情報測定機器２３をさまざまな場所に持っていくことができるため、各測定機器の特性により対応した適当な場所で測定を行えるため、測定データの信頼性や、使用者の利便性を向上させることができる。
【００２６】
なお、本実施の形態の健康データ収集装置のブロック図においては被検体測定手段が１台の構成としたが、前述の体重計の例のように複数台備えて、それぞれより最適な場所で測定できるようにすれば本発明の効果をより発揮することができる。
【００２７】
例えば、生体情報測定機器２３を身に付けて、スポーツジムでトレーニングする場合など、スポーツジムのネットワークに被検体測定手段１３を接続することで、トレーナーとの打合せ時にデータを基に打合せを行ったり、自宅に戻った後、データを見ながらトレーニングメニューを検討することも可能である。
【００２８】
ジム内でのトレーニングメニューの履歴も同時に収集しデータを検討することで、より使用者に適したメニューを構成できる。
【００２９】
また、健康セミナー・病院での問診時等にも測定データを提示し、参照することも可能となる。さらに、医者、病院の側では複数人のデータを集め、統計データとして対象者のデータと参照することができる。
【００３０】
次に、本発明の第２の実施の形態の健康データ収集装置のブロック図を図４に、その被
検体測定手段１３の斜視図を図５に示す。
【００３１】
図４が本発明の第１の実施の形態と異なるところは、被検体測定手段１３に生体情報測定機器２３からのデータが入力部５を通じて記録部１１に記録されたことを表示するＬＥＤ３３が備えられたところと、時計３４を内蔵しており、生体情報測定機器２３からのデータを記録した時間を測定データとともに記録する機能を有した点にある。図５においてＬＥＤ３３は本体上面に設置されており、健康計測機器からのデータを記録したとき、これが点灯して知らせる。また、図５に示すように第１の実施の形態にあったＬＡＮ接続端子は廃止されており、その代わりに無線ＬＡＮ用アンテナ３５が設置されており、第一のネットワーク通信部７が無線化されている。
【００３２】
使用者は第一の実施の形態と同じく被検体測定手段１３の生体情報測定機器接続プラグ２９に血圧計３などの生体情報測定機器を接続する。第一の実施の形態ではＬＡＮ端子２８に家庭内に設置されたＬＡＮに接続して測定準備をしなければならなかったが、本実施の形態ではＬＡＮが無線化されていることにより、電波が届く範囲であれば被検体測定手段１３に生体情報測定機器を接続するだけで準備が整う。また、ネットワーク接続を無線化することは、接続が必要でなくなるだけではなく、被検体測定手段１３がＬＡＮ配線と電気的に接続されないことを意味する。被検体測定手段１３は使用者の体に直接触れる健康計測機器２３と接続されるため、電気的絶縁に配慮しておかなければ感電などの危険が生じる。したがって、ＬＡＮ配線と電気的接続をする場合は、電気的絶縁を考慮し、耐圧の高い絶縁トランスなどを使用する必要が生じる。本実施の形態では、ＬＡＮを無線化し、さらに被検体測定手段１３が電池で動作するようにしているので、電気的絶縁に配慮する必要がなくなる。
【００３３】
次に動作を説明する。使用者が血圧計３などの生体情報測定機器２３により測定を行うと、測定データが入力部５を通じて記録部１１に記録される。このとき、データが記録されたことを検出してＬＥＤ３３が点灯する。使用者はこのことによって、データが記録部１１に記録されたことが確認できる。同時に、時計３４から日時データを取得して測定データとともに日時データを記録する。これにより、生体情報測定機器２３に時計が内蔵されていない場合でも、測定日時が特定できるため、健康管理の精度を向上させることができる。さらに、第一の実施の形態と異なる点は、第一の実施の形態では記録部１１に記録された測定データは第一のネットワーク通信部７からネットワーク９を経由して操作側ユニット１４の第二のネットワーク通信部８に自動的に送信されていたが、本実施の形態では、使用者が操作側ユニット１４でデータ取得の指示を行ったときに第二のネットワーク通信部８を通じて被検体測定手段１３に対してデータを送信するよう要求し、そのときはじめて記録部１１に記録したデータが第一のネットワーク通信部７からネットワーク９を経由して操作側ユニット１４の第二のネットワーク通信部８に送信されるようになっている。計測データは制御部１２に伝達、一時的に蓄積され、使用者が操作部１により測定データの表示を指示すれば、制御部１２がその指示にしたがって表示部６に測定データを表示し、使用者が操作部１により、測定データの送信を指示すれば、制御部１２がその指示にしたがって第二のネットワーク通信部８を通じてネットワーク９経由でサーバー１０に対してデータを送信する点は同じである。この構成によって、操作側ユニット１４の電源が入っていなくても計測を行うことができ、必要なときに操作側ユニット１４で操作すればデータを取得することができる。
【００３４】
図６に本発明の第二の実施の形態の使用状態の図を示す。この図は体重計２６を使用した例であるが、体重計２６と被検体測定手段１３が接続されている状態を示している。この例では、風呂場の脱衣場を想定している。体重測定においては、着衣の誤差をなくすために、脱衣状態で測定するのが最適である。しかしながら、従来の健康データ収集装置では、図９に示すように、健康データ収集装置が設置された近傍での測定を余儀なくされ、
たとえばリビングルームなどでの測定が必要であった。この場合、測定誤差をすくなくするためにリビングルームで脱衣をするか、もしくは着衣の誤差を妥協して測定しなければならない。本実施の形態では図６のように風呂場の脱衣場で測定することができるので、きわめて自然に脱衣状態で測定することができる。また、図６に示すように、風呂場の脱衣場という環境においては水まわりの設備がすぐ近傍にあり、感電には十分配慮しなければならないが、本実施の形態においては、被検体測定手段１３は体重計２６以外に電気的接続があるものはなく、特別の配慮をしなくても感電の危険性はまったく無い。さらに、家庭内ＬＡＮが普及してきているとはいえ、風呂の脱衣場にＬＡＮが敷設されているケースはまれである。本実施の形態ではネットワーク接続を無線化してあるので、脱衣場が電波の届く範囲であれば、ＬＡＮが配線されている必要は無い。水まわりである点とＬＡＮが敷設されていないという点はトイレにも該当し、尿糖などの健康データをトイレで収集するといった用途にも本実施の形態は非常に有用である。
【００３５】
以上のように本発明の第２の実施の形態の健康データ収集装置によれば、被検体測定手段１３の電源を電池とし、第一のネットワーク通信部７を無線化しネットワーク回線から電気的に絶縁された構成としたので、ＬＡＮ配線のない場所での使用や、感電の危険性を排除するための特別な配慮をする必要がなく、風呂場やトイレなどといった水周りの場所でも測定することができるので、各生体情報測定機器に最適な場所での測定を行うことができる。さらに、被検体測定手段に時計３４を備え、記録部１１にデータを記録した日時を同時に記録するようにしたので、健康計測機器が時計をもたない場合でもデータを測定した日時を記録することができ、健康管理の精度を向上させることができる。さらに被検体測定手段１３に生体情報測定機器２３からデータを入力したことを報知する報知手段としてＬＥＤ３３を備えたので、測定データが被検体測定手段１３に確実に伝達されたことを使用者が確認することができ、安心確実にデータを収集することができる。また、第一のネットワーク通信部７は、データ送信の要求があったときに通じてデータを送信する構成としたので、測定を行うときに操作側ユニット１４の電源状態は関係がなくなり、離れた部屋での測定の利便性が向上する。なお、本実施の形態では、第一のネットワーク通信部７は操作側ユニット１４からの要求に応じてデータを送信するようにしているが、ネットワーク９経由の送信要求であれば、かならずしも相手側は操作側ユニットでなくてもよく、たとえば、サーバー１０からや、ネットワーク上に存在する医師等の健康管理者が所有している端末からの送信要求でもよい。
【００３６】
なお、被検体測定手段１３の電子回路をウレタン樹脂で覆うことで、防湿効果を高めることができる。このため風呂場内、トイレ内でも防湿効果があるため湿度に強く、高信頼性を保つことができる。
【産業上の利用可能性】
【００３７】
以上のように、本発明にかかる健康データ収集装置は、各測定機器の特性に応じた最適な場所で測定を行えるため、測定データの信頼性や、使用者の利便性を向上させることができるという効果を有し、在宅などにおいて患者等の健康管理対象者の健康情報を収集し、これらの健康情報を医師等の健康管理提供者が遠隔的に収集しその健康状態の把握するために利用する等として有用である。
【図面の簡単な説明】
【００３８】
【図１】本発明の第１の実施の形態における健康データ収集装置のブロック図
【図２】本発明の第１の実施の形態における健康データ収集装置の被検体測定手段の斜視図
【図３】本発明の第１の実施の形態における健康データ収集装置の使用状態例の図
【図４】本発明の第２の実施の形態における健康データ収集装置のブロック図
【図５】本発明の第２の実施の形態における健康データ収集装置の被検体測定手段の斜視図
【図６】本発明の第２の実施の形態における健康データ収集装置の使用状態例の図
【図７】従来の健康データ収集装置のブロック図
【図８】従来の健康データ収集装置の斜視図
【図９】従来の健康データ収集装置の使用状態例の図
【符号の説明】
【００３９】
１  操作部
２  体温計
３  血圧計
４  血糖計
５  入力部
６  表示部
７  第一のネットワーク通信部
８  第二のネットワーク通信部
９  ネットワーク
１０  サーバー
１１  記録部
１２  制御部
１３  被検体測定手段
１４  操作側ユニット
１５  通信部
１６  制御部
１７  液晶表示器
１８  テンキー
１９  キャンセルキー
２０  上下キー
２１  ＯＫキー
２２  生体情報測定機器接続端子
２３  生体情報測定機器
２４  健康データ収集装置
２５  テーブル
２６  体重計
２７  コード
２８  ＬＡＮ端子
２９  生体情報測定機器接続プラグ
３０  ベッド
３１  ベッドサイドテーブル
３２  ネットワーク端子
３３  ＬＥＤ
３４  時計
３５  無線ＬＡＮ用アンテナ
【図１】
2007111414.tif 000003
【図２】
2007111414.tif 000004
【図３】
2007111414.tif 000005
【図４】
2007111414.tif 000006
【図５】
2007111414.tif 000007
【図６】
2007111414.tif 000008
【図７】
2007111414.tif 000009
【図８】
2007111414.tif 000010
【図９】
2007111414.tif 000011